(57)【要約】【課題】貯湯タンクと筐体を構成する外装板を効率よく、かつしっかりと固定・位置決めすること。【解決手段】本発明のヒートポンプ式給湯機は、湯水を貯湯する貯湯タンクと、前記貯湯タンクを覆う断熱材（５、６）と、前記断熱材を覆う外装板と、前記外装板を固定する外装板固定手段８とを備え、前記外装板固定手段は、前記外装板を固定すると同時に前記断熱材を固定することを特徴とするものであり、これによって、貯湯タンクと外装板とを効率よく、しっかりと固定・位置決めすることができる。【選択図】図３
2008032240.tif 000002
【特許請求の範囲】
【請求項１】
湯水を貯湯する貯湯タンクと、前記貯湯タンクを覆う断熱材と、前記断熱材を覆う外装板と、前記外装板を固定する外装板固定手段とを備え、前記外装板固定手段は、前記外装板を固定すると同時に前記断熱材を固定することを特徴とするヒートポンプ式給湯機。
【請求項２】
前記外装板固定手段は、前記断熱材と嵌合することにより前記断熱材を固定することを特徴とする請求項１に記載のヒートポンプ式給湯機。
【請求項３】
前記貯湯タンクを複数個備えたことを特徴とする請求項１または２に記載のヒートポンプ式給湯機。
【請求項４】
前記断熱材は、発泡成型材であることを特徴とする請求項１〜３に記載のヒートポンプ式給湯機。
【発明の詳細な説明】
【技術分野】
【０００１】
本発明は、貯湯タンクをもつヒートポンプ式給湯機の構成に関するものである。
【背景技術】
【０００２】
従来、この種の貯湯タンクでは、貯湯タンク内に蓄えられた湯を保温するために貯湯タンクに直接グラスウールなどの断熱材を巻き付けていた（例えば、特許文献１参照）。
【特許文献１】特開平０７−２４３７０５号公報
【発明の開示】
【発明が解決しようとする課題】
【０００３】
しかしながら、前記従来の構成では、複数の貯湯タンクをもつヒートポンプ給湯機の場合、輸送時の貯湯タンクの傾きや、筐体を構成する外装板の変形等を防ぐために、それぞれのタンクどうしを固定する金具や、外装板どうしを固定する金具を取り付けていた。さらには、円筒形の貯湯タンクに巻かれたグラスウールと方形の筐体とでは、貯湯タンク円周上の接線では接するが、その他の部分では隙間が発生してしまう。それにより設置後の強風などによりその外装板がひずみ、音が発生してしまう恐れもあるため、それらを抑制するために外装板内面側に金具を取り付ける等の必要があった。このように、複数の貯湯タンクと外装板を固定し、それらの位置決めをするために、または外装板のひずみを防止するために多くの金具などを取り付けなければならないという課題があった。
【０００４】
本発明は、前記従来の課題を解決するもので、貯湯タンクと筐体を構成する外装板を効率よく、かつしっかりと固定・位置決めすることを目的とする。
【課題を解決するための手段】
【０００５】
前記従来の課題を解決するために、本発明のヒートポンプ式給湯機は、湯水を貯湯する貯湯タンクと、前記貯湯タンクを覆う断熱材と、前記断熱材を覆う外装板と、前記外装板を固定する外装板固定手段とを備え、前記外装板固定手段は、前記外装板を固定すると同時に前記断熱材を固定することを特徴とするものである。
【０００６】
これによって、貯湯タンクと外装板とを効率よく、しっかりと固定・位置決めすることができる。
【発明の効果】
【０００７】
本発明のヒートポンプ給湯機は、貯湯タンクと外装板を効率よく、かつしっかりと固定・位置決めすることができる。
【発明を実施するための最良の形態】
【０００８】
第１の発明のヒートポンプ式給湯機は、湯水を貯湯する貯湯タンクと、前記貯湯タンクを覆う断熱材と、前記断熱材を覆う外装板と、前記外装板を固定する外装板固定手段とを備え、前記外装板固定手段は、前記外装板を固定すると同時に前記断熱材を固定することにより、貯湯タンクと筐体を構成する外装板とを効率よく、かつしっかりと固定・位置決めすることができる。また固定には外装板固定手段のみを使用するため、コストを低減することができる。
【０００９】
第２の発明のヒートポンプ式給湯機は、前記外装板固定手段は、前記断熱材と嵌合することにより前記断熱材を固定することにより、簡単な構成で断熱材を固定することができ、組立性、メンテナンス性を向上することができる。
【００１０】
第３の発明のヒートポンプ式給湯機は、前記貯湯タンクを複数個備えたことにより、湯量を複数のタンクに分散させて貯湯することができ、１つあたりのタンク容量を抑えることができるので、ひいては貯湯タンクユニットの薄型化を実現することができる。
【００１１】
第４の発明のヒートポンプ式給湯機は、前記断熱材は、発泡成型材であることにより、重量が軽く、高い保温性能を維持したまま組立性、メンテナンス性を向上することができる。
【００１２】
以下、本発明の実施の形態について、図面を参照しながら説明する。なお、この実施の形態によって本発明が限定されるものではない。
【００１３】
（実施の形態１）
図１は、本発明の実施の形態におけるヒートポンプ給湯機の貯湯タンクの分解構成図を示すものである。ただし、簡略化のため本来取り付けられている配管や機能部品類は図示しない。
【００１４】
図１において、第１の貯湯タンク１と第２の貯湯タンク２が底板３に固定されている。第１の貯湯タンク１、第２の貯湯タンク２と底板３の間には下面断熱材４が配置されている。下面断熱材４は第１の貯湯タンク１、第２の貯湯タンク２の下方から滑り込ませて取り付けられている。なお、本実施の形態では、２つの貯湯タンクを備えているが、これに限定されることは無く、１つの貯湯タンクもしくは複数個の貯湯タンクを備えた場合も同様な構成で、本発明の効果を奏する。
【００１５】
第１の貯湯タンク１、第２の貯湯タンク２の側面は、両側をそれぞれ右側面断熱材５と、左側面断熱材６により覆われている。右側面断熱材５と左側面断熱材６の内方には、第１の貯湯タンク１、第２の貯湯タンク２に合わせて円筒形状の溝があるため、第１の貯湯タンク１、第２の貯湯タンク２の位置決めを必然的に行うことができ、また第１の貯湯タンク１と第２の貯湯タンク２の動きを規制することができるため、従来必要であったようなタンクどうしを固定する金具を取り付ける必要がなくなる。また、第１の貯湯タンク１、第２の貯湯タンク２の上面には上面からの放熱を防止するために上面断熱材７が配置されている。
【００１６】
ここで、外装板固定手段８は、図２に示すように筐体を構成する外装板を固定するために取り付けられている。本実施の形態では、外装板は、右側板９、左側板１０、後板１１、上板１２、前板１３で構成され、外装板固定手段は、右側板９、左側板１０、後板１１をを固定するために取り付けられる。本実施の形態において、外装板固定手段８は右側面断熱材５と左側面断熱材６を挟み込むように取り付けられているため、右側板９、左側板１０と同時に右側面断熱材５、左側面断熱材６の位置を固定することができる。なお、外装板固定手段と筐体を構成する外装板（右側板９、左側板１０、後板１１）との固定には螺子などで螺着させている。
【００１７】
特に、貯湯容量の大きな貯湯タンクを備えた場合、右側面断熱材５、左側面断熱材６をそれぞれ一体の成型部品とすると、成型条件や乾燥条件のバラツキによりわずかなひずみや反りが発生する可能性が考えられる。そこで、断熱材のひずみや反りが発生した場合において、右側板９、左側板１０のゆがみや膨れを防止するためにも、右側板９、左側板１０と右側面断熱材５、左側面断熱材６との間には若干の（例えば１ｍｍから３ｍｍ程度）の隙間を設けることが望ましい。隙間がない場合は前記のような不具合が発生し、右側板９、左側板１０を押し出し、膨らみやゆがみを発生させる原因となりうる。このように隙間を持たせた場合には、外装板固定手段８により右側面断熱材５、左側面断熱材６の開き
を防止し、より正しく位置決めすることができる。そして、その後上板１２と前板１３をそれぞれ固定することで、貯湯タンク全体をよりしっかりと固定・位置決めすることができる。
【００１８】
図３に外装板固定手段８と右側面断熱材５、左側面断熱材６との嵌合部外観図の一例を示す。右側面断熱材５と左側面断熱材６には、外装板固定手段８を取り付けるための溝１４が設けられている。溝１４の側面側にはリブ１５が形成されており、リブ１５を押しつぶしながら、外装板固定手段８を嵌合させ、取り付けることができる。これにより、ねじなどの部品を使用することなく外装板固定手段８の取り付けが可能となると同時に、溝１４の上下方向の寸法は外装板固定手段８の上下方向の寸法よりわずかに大きくとることで、その後左右側板９、１０と後板１１を取り付ける際にもある程度の自由度を持たせた状態で、かつ適度に固定された状態で容易に組み立てることができる。
【００１９】
ここで、溝１４、リブ１５の形状は限定しないものとし、リブでない場合においても嵌合を使用して固定しても問題はない。
【産業上の利用可能性】
【００２０】
以上のように、本発明にかかるヒートポンプ給湯機の貯湯タンクの構成は、ヒートポンプ給湯機以外にも、電気温水器や燃料電池を使用したコジェネレーションシステム、ガスを使用した貯湯式給湯機等においても利用することができる。
【図面の簡単な説明】
【００２１】
【図１】貯湯タンクの分解構成図
【図２】貯湯タンクの組立外観図
【図３】要部外観図
【符号の説明】
【００２２】
１  第１の貯湯タンク
２  第２の貯湯タンク
３  底板
４  下面断熱材
５  右側面断熱材
６  左側面断熱材
７  上面断熱材
８  外装板固定手段
９  右側板
１０  左側板
１１  後板
１２  上板
１３  前板
１４  溝
１５  リブ
【図１】
2008032240.tif 000003
【図２】
2008032240.tif 000004
【図３】
2008032240.tif 000005